(57)【要約】      （修正有）【課題】コーヒーブロワー等から抽出された抽出液体を貯え、かつ液温、液量検知手段を備えた液体容器を提供する。【解決手段】容器の上端に肩部材３を装着し、肩部材３の中央で容器の口元を開閉する栓４を着脱自在に装着し、栓内に液体を外部より容器内へ注入する通路並びに容器内より液体を外部へ注出する通路を設けると共に容器内の液温、液量を検知、表示する液温・液量検知ユニットを設けた液体容器に於いて、上記栓４内の注入通路３４と注出通路３５とをそれぞれ別個に設けて注入、注出の不使用時にはそれぞれ各通路を閉鎖状態とする注入通路３４には注入遮蔽板３６を注出通路３５には注出遮蔽板３７を配設すると共に液温・液量検知ユニットの検知部分を容器内に垂下し、その表示部分を肩部材の外部に配設して閉栓状態でも液温、液量を表示可能とし、この閉栓状態では栓４の上端面が肩部材３の上端面とほぼ同一面上に設けた構成としている。【選択図】図６
0003150851.tif 000002
【実用新案登録請求の範囲】
【請求項１】
容器（２）の上端に肩部材（３）を装着し、肩部材の中央で容器の口元を開閉する栓（４）を着脱自在に装着し、栓内に液体を外部より容器内へ注入する通路並びに容器内より液体を外部へ注出する通路を設けると共に容器（２）内の液温、液量を検知、表示する液温・液量検知ユニット（５）を設けた液体容器（１）に於いて、上記栓（４）内の注入通路（３４）と注出通路（３５）とをそれぞれ別個に設けて注入、注出の不使用時にはそれぞれ各通路を閉鎖状態とする注入通路（３４）には注入遮蔽板（３６）を注出通路（３５）には注出遮蔽板（３７）を配設すると共に液温・液量検知ユニットの検知部分を容器内に垂下し、その表示部分を肩部材の外部に配設して閉栓状態でも液温、液量を表示可能とし、この閉栓状態では栓（４）の上端面が肩部材（３）の上端面とほぼ面一に設けていることを特徴とした液体容器。
【考案の詳細な説明】
【技術分野】
【０００１】
本考案は、コーヒーブロワー等から抽出された抽出液体を貯え、かつ液温、液量検知手段を備えた液体容器に関するものである。
【背景技術】
【０００２】
従来、コーヒーブロワー等から抽出された抽出液体を貯える液体容器としては、有底筒状の内容器を囲んだ外装ケースの上端に肩部材を、下端に底部材をそれぞれ装着し、肩部材の上端に内容器の口元を開閉する栓を着脱自在に装着し、コーヒーブロワー等から抽出された抽出液体をコーヒーブロワー等の抽出口下方に設置して抽出液体を内容器内に注ぎ入れたのち、コーヒーカップ等に注ぎ出す液体容器が特許第３８８６７６８号公報として存在する。
【先行技術文献】
【特許文献】
【０００３】
【特許文献１】特許第３８８６７６８号公報
【考案の概要】
【考案が解決しようとする課題】
【０００４】
この種の液体容器は、栓構造が肩部材の口元と連通する周側壁の全周ネジと螺着する外栓９と、外栓の中央開口の周側壁のネジに螺着する内栓８とよりなり、外栓９の閉栓状態で内栓８を緩めて、内栓中央上方より抽出液体を注ぎ入れ、内部の液通路を通り内容器内導き、又内栓８を締め、外栓９を緩めて、外栓の液通路より肩部材の嘴部に向けて内容器内の抽出液体を注出しているために、栓の構造が極めて複雑で、栓の操作が煩わしいという問題があった。
【０００５】
又、栓に指を掛けて回さなければならないために、肩部材の上端面より栓の上端面が大きく突出することとなり、大きく突出すればするほど、液体容器自体の高さを低くしなければ、コーヒーブロワー等の抽出口と載置台との間の高さに限界があるので、液体容器自体の高さを低くする必要が生じ、それ故栓の上面の突出が大きくなればなるほど液体容器の所定の容量を確保することができないという問題があった。
【０００６】
更に、内容器内の抽出液体は、外部よりその温度や容量が確認できないために、一旦暖め直した方がよいのか又は直ぐにコーヒーカップ等に注ぎ出してよいのか、更にどの程度の容量が残っているのかもわからないために、わざわざ栓を開放し、内容器内をのぞき込んで温度や容量を目測で確かめなければならないという問題があった。
【課題を解決するための手段】
【０００７】
本考案は、容器２の上端に肩部材３を装着し、肩部材の中央で容器の口元を開閉する栓４を着脱自在に装着し、栓内に液体を外部より容器内へ注入する通路並びに容器内より液体を外部へ注出する通路を設けると共に容器２内の液温、液量を検知、表示する液温・液量検知ユニット５を設けた液体容器１に於いて、上記栓４内の注入通路３４と注出通路３５とをそれぞれ別個に設けて注入、注出の不使用時にはそれぞれ各通路を閉鎖状態とする注入通路３４には注入遮蔽板３６を注出通路３５には注出遮蔽板３７を配設すると共に液温・液量検知ユニットの検知部分を容器内に垂下し、その表示部分を肩部材の外部に配設して閉栓状態でも液温、液量を表示可能とし、この閉栓状態では栓４の上端面が肩部材３の上端面とほぼ面一に設けた構成としている。
【考案の効果】
【０００８】
本考案は、従来の問題点を解決したものであって、構造が簡単で極めて操作性も良く、栓をしたまま注入、注出ができると共に栓が液体容器本体より突出して邪魔になるということもなく、しかも液体容器内の保温効果を減少させることもなく、更に液体容器内の液温、液量を外部より確認できる液体容器を提供するにある。
【図面の簡単な説明】
【０００９】
【図１】本考案実施例の使用状態を示す側面図。
【図２】本考案実施例の斜視図。
【図３】本考案実施例の平面図。
【図４】本考案実施例の縦断面図。
【図５】本考案実施例の分解斜視図。
【図６】本考案実施例の要部を示す一部縦断面図。
【考案を実施するための形態】
【００１０】
液体容器１は、コーヒーブロワー３０等の抽出口３１の下側に設置される卓上型のポットを示すものであって、液体容器本体を兼ねる容器２と、この容器の上端に装着する肩部材３と、肩部材３の中央に着脱自在に装着し、容器２の口元を開閉する栓４と、容器内の液温、液量を検知、表示する液温・液量検知ユニット５とから構成されている。
６は、肩部材３の上端後側に一体的に形成された把手である。
【００１１】
液体容器本体を兼ねる容器２は、図４に示すように、ステンレス等の金属製材料により内壁１０，外壁１１間を真空引きした真空二重瓶であって、底部を同質材料の底壁２０にて覆っている。
この容器２は、上端開口以外の外側より容器内の液面を目視することができない構造のものである。
【００１２】
容器２は、図４乃至図６に示すように、円形状の上端開口を形成する周壁を上方に延ばした内壁１０と、内壁１０の周りを囲み上端に段部を形成して、その先端を内壁の上端開口を形成する周壁の上部外側に重ね合わせて溶着した外壁１１とを設け、外壁１１の段部外側に肩部材用のネジを刻設している。
【００１３】
肩部材３は、図４乃至図６に示すように、内側に容器２の肩部材用のネジに螺着する螺子部及びその外側に位置する外壁部とを備えた二重壁の肩部１２と、肩部１２の螺子部より上方に延び、二重壁の外壁部上端と一体化し内側下方中央に向けて延びた中空の受部１３と、受部１３の前方で二重壁の肩部１２の外壁部上端より前方に延び受部中央と連通した注ぎ口１４と、受部１３後方で二重壁の肩部１２の外壁部後方に大きく外方に延びた把手６とを一体的に設けている。把手６の下端は、底壁２０に固定されている。
【００１４】
肩部材３の受部１３は、図５に示すように、中央中空を形成する周壁に後述の栓４を螺着する雌ネジ７を刻設している。この雌ネジ７は、全周ネジではなく、一部を削除した部分ネジである。この肩部材３の受部１３と二重壁の肩部１２外壁部との把手６に近い個所に後述の液温・液量検知ユニット５を載置する切欠部１５を設けている。この切欠部１５の左右両側には、それぞれ後述の液温・液量検知ユニット５の連結空洞部の溝２８をスムーズに差し込み固定するための突起片１６，１６を垂下している。
【００１５】
肩部材３の受部１３は、図５に示すように、前方の注ぎ口１４に近い箇所を除いて縦断面がＬ字状の環状構造であって、その垂直壁８部分に雌ネジ７を刻設し、水平壁９部分に後述の栓４のシールパッキン３９を当接するようにしている。
【００１６】
液温・液量検知ユニット５は、容器２内の液温を検知する液温検知手段と、液温検知手段にて検知された液温を複数の段階に表示する液温表示手段と、容器内の液量を検知する液量検知手段と、液量検知手段にて検知された液量を複数の段階に表示する液量表示手段と、これら各手段をマイクロコンピュータにて制御するメイン制御基板と、メイン制御基板の動力源である電池や蓄電池等の電源と、液温表示手段及び液量表示手段の各表示を液晶にて示す表示板１７と、各手段及びメイン制御基板、電源、並びに表示板１７を収納するユニット外装体とを備えている。
【００１７】
液温・液量検知ユニット５の液温検知手段は、サーミスタ、熱電対等の感温素子１８を有する温度感知器で、この感温素子１８が、後述のユニット外装体の垂下筒体部２３内の電極基板下壁に配置され、その配線が電極基板内両端を通りメイン制御基板へと通じ、計測された液温を表示板１７にて段階的に表示している。
【００１８】
液温・液量検知ユニット５の液量検知手段は、後述のユニット外装体の垂下筒体部２３内の電極基板外壁で感温素子１８の上方に−の電極子２１を設け、電極基板外壁で上下所定の間隔を隔てて配設した複数の＋の電極子２２，２２５を設け、容器２内の液体に浸かった−の電極子２１と上下に配設した液体に浸かった最上部の＋の電極子２２間の静電容量を検知した後、メイン制御基板を通じてこの静電容量を液量の水位として計測、液量表示手段を介して表示板１７にて液量を段階的に表示している。
【００１９】
液温・液量検知ユニット５のユニット外装体は、図５に示すように、容器２内に垂下する垂下筒体部２３と、把手６の近くで肩部１２より突出した制御体部２４と、この垂下筒体部２３と制御体部２４とを連結し、受部１３の切欠部１５に載置する連結空洞部２５とを一体的に設けている。
【００２０】
連結空洞部２５の垂下筒体部２３に近い内側は、切欠部１５の内側に沿って受部１３の垂直壁８と水平壁９とにそれぞれ面一となる垂直部２６と水平部２７とを設けている。
又、連結空洞部２５の制御体部２４との結合部分には、環状の溝２８を設けており、この溝２８は、四角形状の環状で切欠部１５の厚み幅あり、図５に示すように、四角形状の環状パッキン２９を嵌め込んだ後、切欠部１５の左右の突起片１６，１６に沿って切欠部１５内に嵌め込まれ、連結空洞部２５を固定している。この四角形状の環状パッキン２９によって、容器２内の液体がこの切欠部１５より流れ出ることを防いでいる。
【００２１】
栓４は、図４又は図６に示すように、肩部材３の受部１３の栓用の雌ネジに螺着する雄ネジを備えた下蓋３２と、下蓋の上端を閉鎖する上蓋３３と、コーヒーブロワー３０等の抽出口３１から流れ出す液体を容器２内へ導く注入通路３４と、容器２内に貯えられた液体をコーヒーカップ等へ導く注出通路３５と、注入通路３４を開閉する注入遮蔽板３６と、注出通路３５を開閉する注出遮蔽板３７とを備えている。
【００２２】
栓４の下蓋３２は、図６に示すように、下方前部に注ぎ口１４に連通する注出口３８を備えたカギ型の注出通路３５を設け、後部にＬ字型の注入通路３４を設けている。この下蓋３２の下端壁は、閉栓状態では液温・液量検知ユニット５の垂下筒体部２３に当接しないように、容器２の口元より大きく下方に位置することはない。注出通路３５内には、コーヒーブロワー３０等の抽出口３１に液体容器１載置時注出通路３５を閉鎖し、液体容器１を傾け、コーヒーカップ等へ導く注出状態時注出通路３５を開放する自然開閉自在な注出遮蔽板３７取り付けられている。
【００２３】
栓４の下蓋３２は、肩部材３の受部１３の水平壁９と当接する下端外周面にシールパッキン３９を張設している。下蓋３２の外周壁には、受部１３の垂直壁８部分の部分ネジとなる雌ネジ７に螺着する部分ネジの雄ネジを刻設している。
下蓋３２の外周壁の一部には、肩部材３の注ぎ口１４と注出通路３５の注出口３８とが連通するように位置決め用突起を設けている。
【００２４】
栓４の上蓋３３は、図２乃至図６に示すように、中央に注入口４０を設け、この注入口の周りに複数のくぼみ４１，４１を設けており、この上蓋３３と下蓋３２との間に図４又は図６に示すように、上部保持部材４２とその下側に下部保持部材４３とを設け、この上蓋３３と上部保持部材４２との間に摺動自在な注入遮蔽板３６を配設している。
【００２５】
栓４の上部保持部材４２は、上蓋３３の注入口４０と連通する漏斗状で、注入通路３４の一部である漏斗部４４を中央に設け、この漏斗部４４の下部が下蓋３２の注入通路３４の上部と連結している。
栓４の下部保持部材４３は、上部保持部材４２の漏斗部４４よりも大きい径で下蓋３２の注入通路３４の上部と漏斗部４４とを連結する中央開口部を設けている。
【００２６】
栓４の注入通路３４は、上蓋３３の注入口４０より入った液体が上部保持部材４２の漏斗部４４内を通り、下蓋３２の中央より後方に配設した通路を通って下蓋後部壁より容器２口元へと流れ落ちるようにしている。
この注入通路３４の注入口４０を開閉する注入遮蔽板３６は、上蓋３３の上部後方に突設したレバー４５の摺動でもって注入口４０の開閉を操作している。
【００２７】
栓４の内部構造は、複雑でなく簡単でしかもこの栓を肩部材３の受部１３に螺着した状態では、栓の上端面が肩部材の上端面とほぼ面一となり、更に栓の下蓋３２下端壁が、容器２の口元より大きく下方に位置することはないので、非常に上下幅小さくコンパクトとなっている。この栓４を肩部材３の受部１３より取り外すには、上蓋３３の複数のくぼみ４１，４１内に入り込む複数の突起を備えた抜差具４６でもって、栓を回動して取り出すようにしてもよく、又くぼみ４１，４１に指を差し込んで回すようにしてもよい。
【００２８】
このようにして、容器２内にコーヒーブロワー３０等の抽出液を抽出口３１より注入する際には、栓４をしたままレバー４５を摺動操作して上蓋３３の注入口４０を開放し、コーヒーブロワー３０等の抽出口３１下端に栓の注入口４０を合致させれば、何の操作も必要とせず、容器２内に抽出液を注入することができる。
その際、栓の注出通路３５は、注出遮蔽板３７によって閉鎖されて容器内の保温効果を維持するようにしている。
【００２９】
次に、注入が終了すればレバー４５を摺動操作して注入口４０を閉鎖する。これにより容器内の保温効果を維持するようにしている。更に、容器２内の液体をコーヒーカップ等へ注出するには、栓４をした状態で栓の注入通路３４を注入遮蔽板３６によって閉鎖状態のまま、液体容器１を傾ければ注出通路３５内の注出遮蔽板３７が開放されたままとなり、注出口３８より注ぎ口１４へと注出することができる。
【００３０】
以上本考案の代表的と思われる実施例について説明したが、本考案は必ずしもこれら実施例構造のみに限定されるものではなく、例えば内容器を外装ケースで囲んだ卓上型魔法瓶のように本考案にいう前記の構成要件を備え、かつ、本考案にいう目的を達成し、本考案にいう効果を有する範囲内において適宜改変して実施することができるものである。
【符号の説明】
【００３１】
１…液体容器
２…容器
３…肩部材
４…栓
５…液温・液量検知ユニット
１２…肩部
１３…受部
１４…注ぎ口
１５…切欠部
２３…垂下筒体部
２４…制御体部
２５…連結空洞部
２９…環状パッキン
３０…コーヒーブロワー
３１…抽出口
３２…下蓋
３３…上蓋
３４…注入通路
３５…注出通路
３６…注入遮蔽板
３７…注出遮蔽板
３８…注出口
３９…シールパッキン
４０…注入口
【図１】
0003150851.tif 000003
【図２】
0003150851.tif 000004
【図３】
0003150851.tif 000005
【図４】
0003150851.tif 000006
【図５】
0003150851.tif 000007
【図６】
0003150851.tif 000008